(57)【要約】【課題】カリウム含有量が十分に少なく且つ平均重量が大きいリーフレタスを、歩留まり良く栽培する方法を提供する。【解決手段】育苗養液栽培期間Ａ及び標準養液栽培期間Ｂは、カリウム濃度が十分に高い培養液を用いて、リーフレタスを生育する。その後の低カリウム養液栽培期間Ｃでは、初期のカリウム濃度が５１ｐｐｍ以上７０ｐｐｍ以下の低カリウム養液を用いてリーフレタスを生育する。【選択図】  図１
2017042060.tif 000002
【特許請求の範囲】
【請求項１】
培養液が導入された栽培槽を用いて低カリウムの青果物を栽培する、低カリウム含有青果物の水耕栽培方法であって、
カリウム濃度が十分に高い標準養液を用いて青果物を栽培する標準養液栽培期間と、
前記標準養液に代えて、該標準養液よりもカリウム濃度が低い低カリウム養液を前記栽培槽に導入して前記青果物を栽培する低カリウム養液栽培期間と、
を含み、
前記低カリウム養液の初期のカリウム濃度は、５１ｐｐｍ以上７０ｐｐｍ以下である、
ことを特徴とする低カリウム含有青果物の水耕栽培方法。
【請求項２】
前記低カリウム養液のカリウム濃度は、前記低カリウム養液栽培期間の開始時から終了時までの全期間にわたって５１ｐｐｍ以上７０ｐｐｍ以下となるように、決定されることを特徴とする請求項１に記載の低カリウム含有青果物の水耕栽培方法。
【請求項３】
前記低カリウム養液に含まれるカリウムは、亜リン酸カリウムのカリウム成分を含むことを特徴とする請求項１又は２に記載の低カリウム含有青果物の水耕栽培方法。
【請求項４】
前記低カリウム養液は、１０ｐｐｍ以上１９ｐｐｍ以下のナトリウムを含むことを特徴とする、請求項１乃至３の何れかに記載の低カリウム含有青果物の水耕栽培方法。
【請求項５】
前記栽培槽内の前記低カリウム養液のカリウム濃度をカリウムイオンメータで測定することによって、該カリウム濃度が管理されることを特徴とする請求項１乃至４の何れかに記載の低カリウム含有青果物の水耕栽培方法。
【請求項６】
前記低カリウム養液栽培期間は、１４日以上２０日以下であることを特徴とする請求項１乃至５の何れかに記載の低カリウム含有青果物の水耕栽培方法。
【請求項７】
前記青果物は、リーフレタスであることを特徴とする請求項１乃至６の何れかに記載の低カリウム含有青果物の水耕栽培方法。
【発明の詳細な説明】
【技術分野】
【０００１】
この発明は、カリウム含有量が少ない青果物の水耕栽培方法に関する。
【背景技術】
【０００２】
人工透析患者、慢性腎臓病患者等、医師からカリウム摂取制限を受けている腎不全患者の数は、わが国だけでも３０万人程度はいると言われている。
【０００３】
これらの患者は、腎臓のカリウム排泄能力が低下しているために、体内にカリウムが蓄積されやすい。そのため、カリウムを摂取しすぎると、不整脈となるおそれがあると共に、深刻な場合には、高カリウム血症となって心臓停止を引き起こすおそれが生じる。
【０００４】
このような理由から、慢性腎臓病の病期等の要因にもよるが、一般に、腎不全患者は、１日のカリウム摂取量を１，５００〜２，０００ｍｇ以下に制限する必要がある。
【０００５】
ここで、野菜や果物等の青果物の場合、カリウム含有量を、茹でこぼしたり水にさらすといった方法で減らせることが、従来より知られている。しかし、このような方法は、手間がかかることに加えて、全ての青果物に適用できる訳ではない。このため、カリウム含有量が少ない青果物を栽培して、腎不全患者に提供することが望ましい。
【０００６】
しかし、カリウムは植物の三大栄養素の一つとして知られているように、植物の成長には必須である。このため、カリウム含有量の少ない青果物を栽培することは、容易ではない。
【０００７】
これに対して、下記特許文献１には、カリウムを含有する培養液を用いて２〜３週間栽培した後で、カリウムを含まない培養液を用いて残りの期間の栽培を行うことで、カリウム含有量が非常に少ない青果物を収穫する野菜栽培方法が開示されている。
【先行技術文献】
【特許文献】
【０００８】
【特許文献１】特開２００８−６１５８７号公報
【発明の概要】
【発明が解決しようとする課題】
【０００９】
しかしながら、上記特許文献１の栽培方法では、栽培期間全体の約半分の期間で、カリウムを全く含有しない培養液を用いるため、栽培する青果物の生育が悪くなる。このため、特許文献１の栽培方法には、栽培した青果物の平均重量が小さくなってしまうという欠点や、縁枯れ症等の理由で商品として出荷できない青果物が多数発生してしまうという欠点があった。
【００１０】
この発明は、カリウム含有量が十分に少なく且つ平均重量が大きい青果物を歩留まり良く栽培することができる、低カリウム含有青果物の水耕栽培方法を提供することを課題としている。
【課題を解決するための手段】
【００１１】
上記課題を解決するために、請求項１に記載の発明は、培養液が導入された栽培槽を用いて低カリウムの青果物を栽培する、低カリウム含有青果物の水耕栽培方法であって、カリウム濃度が十分に高い標準養液を用いて青果物を栽培する標準養液栽培期間と、前記標準養液に代えて、該標準養液よりもカリウム濃度が低い低カリウム養液を前記栽培槽に導入して前記青果物を栽培する低カリウム養液栽培期間と、を含み、前記低カリウム養液の初期のカリウム濃度は、５１ｐｐｍ以上７０ｐｐｍ以下である低カリウム含有青果物の水耕栽培方法としたことを特徴とする。
【００１２】
請求項２の発明は、請求項１に記載の構成に加えて、前記低カリウム養液のカリウム濃度が、前記低カリウム養液栽培期間の開始時から終了時までの全期間にわたって５１ｐｐｍ以上７０ｐｐｍ以下となるように、決定されることを特徴とする。
【００１３】
請求項３の発明は、請求項１又は２に記載の構成に加えて、前記低カリウム養液に含まれるカリウムが、亜リン酸カリウムのカリウム成分を含むことを特徴とする。
【００１４】
請求項４の発明は、請求項１乃至３の何れかに記載の構成に加えて、前記低カリウム養液が、１０ｐｐｍ以上１９ｐｐｍ以下のナトリウムを含むことを特徴とする。
【００１５】
請求項５の発明は、請求項１乃至４の何れかに記載の構成に加えて、前記栽培槽内の前記低カリウム養液のカリウム濃度をカリウムイオンメータで測定することによって、該カリウム濃度が管理されることを特徴とする。
【００１６】
請求項６の発明は、請求項１乃至５の何れかに記載の構成に加えて、前記低カリウム養液栽培期間が、１４日以上２０日以下であることを特徴とする。
【００１７】
請求項７の発明は、請求項１乃至６の何れかに記載の構成に加えて、前記青果物が、リーフレタスであることを特徴とする。
【発明の効果】
【００１８】
請求項１の発明によれば、標準養液を用いた標準養液栽培期間の後に、初期のカリウム濃度が５１ｐｐｍ以上７０ｐｐｍ以下の低カリウム養液を導入した低カリウム養液栽培期間を設けたので、カリウム含有量が十分に少なく且つ平均重量が大きい青果物を歩留まり良く栽培することができる。
【００１９】
請求項２の発明によれば、低カリウム養液のカリウム濃度を、前記低カリウム養液栽培期間の開始時から終了時までの全期間にわたって５１ｐｐｍ以上７０ｐｐｍ以下としたので、青果物の平均重量や歩留まりを更に向上させることができる。
【００２０】
請求項３の発明によれば、カリウムとして、亜リン酸カリウムのカリウム成分を用いたので、青果物の根を活性化させて、成長の促進等を図ることができる。
【００２１】
請求項４の発明によれば、カリウム含有量及びナトリウム含有量が十分に少ない青果物を歩留まり良く栽培することができる。
【００２２】
請求項５の発明によれば、低カリウム養液のカリウム濃度を正確に管理することができる。
【００２３】
請求項６の発明によれば、歩留まりを損なうこと無しに、青果物のカリウム含有量を十分に低減することができる。
【００２４】
請求項７の発明によれば、カリウム含有量が十分に少なく且つ平均重量が大きいリーフレタスを歩留まり良く栽培することができる。
【図面の簡単な説明】
【００２５】
【図１】この発明の実施の形態１で使用する水耕栽培装置の構造を概念的に示す断面図である。
【図２】同実施の形態１に係る低カリウム含有青果物の水耕栽培方法を概略的に示す工程図である。
【図３】（ａ）〜（ｃ）共に、同実施の形態１に係る低カリウム含有青果物の水耕栽培方法の栽培条件を説明するための表である。
【図４】（ａ）〜（ｃ）共に、同実施の形態１に係る低カリウム含有青果物の水耕栽培方法の収穫結果を説明するための表である。
【発明を実施するための形態】
【００２６】
以下、本発明の実施の形態について、図１及び図２を用いて説明する。以下の実施の形態では、青果物としてリースレタスを栽培する場合を例に採って説明する。
［発明の実施の形態１］
図１は、この発明の実施の形態１で使用する水耕栽培装置の構造を概念的に示す断面図である。
【００２７】
図１に示したように、この水耕栽培装置１は、栽培槽１０と、養液タンク２０とを備えている。
【００２８】
栽培槽１０は、低カリウム含有青果物を栽培するための槽である。
【００２９】
栽培槽１０の寸法は、例えば縦４０ｃｍ、横４０ｃｍ、高さ２５ｃｍである。
【００３０】
この栽培槽１０には、その底板１１から所定の高さに、植え付け板１２が配置される。そして、この植え付け板１２に、栽培するリーフレタス１３が保持される。リーフレタス１３を植え付け板１２に保持させる方法は任意であるが、例えば、植え付け板１２の貫通孔（図示せず）にリーフレタス１３の根を差し込むような形で保持すれば良い。
【００３１】
また、この栽培槽１０の上方には、例えば蛍光管等の照明器１４が設けられている。この照明器１４により、リーフレタス１３への照光が行われる。
【００３２】
養液タンク２０には、栽培槽１０に供給するための培養液が貯留される。養液タンク２０の寸法は、例えば縦７０ｃｍ、横７０ｃｍである。
【００３３】
この養液タンク２０には、ポンプ２１が設置されている。そして、このポンプ２１でくみ出された培養液が、配管２２を通過して、栽培槽１０へ供給される。一方、栽培槽１０に供給された培養液は、配管２３を通過して、養液タンク２０に戻る。このようにして、養液タンク２０と栽培槽１０との間で、培養液が循環する。
【００３４】
この実施の形態１では、図１の水耕栽培装置１を用い、以下のようにして、低カリウム含有リーフレタスを栽培した。
【００３５】
なお、ここでは、この発明に対応する二種類の水耕栽培方法（以下、実施例１、２と記す）と、この発明に対応しない二種類の水耕栽培方法（以下、比較例１、２と記す）とを行って、これら四種類の栽培方法で栽培されたリーフレタスを比較する。
【００３６】
図２は、この実施の形態１に係る低カリウム含有青果物の水耕栽培方法を概念的に示す工程図である。
【００３７】
図２に示したように、この実施の形態１では、低カリウム含有リーフレタスの栽培を、育苗養液栽培Ａ、標準養液栽培Ｂ及び低カリウム溶液栽培Ｃの、三つの栽培期間に分けて行った。
【００３８】
（１）育苗養液栽培（Ａ）
以下のようにして、リーフレタスの育苗養液栽培Ａを行った。なお、この育苗養液栽培Ａは、上記の四種類の水耕栽培方法（実施例１、２及び比較例１、２）について、共通である。
【００３９】
まず、リーフレタスの種子を播種し、水道水で育苗した。そののち、幼根発生の例えば三日後から、水耕栽培装置１（図１参照）を用いて、育苗養液をもちいた栽培を、例えば１１日間行った。全体では、この育苗養液栽培の期間は、例えば１４日間である。
【００４０】
育苗養液としては、例えば、窒素８０ｐｐｍ、リン酸３０ｐｐｍ及びカリウム１２０ｐｐｍに、適当量のカルシウム及びマグネシウムと、微量のマンガン、鉄、ホウ素、亜鉛、銅等を加えたものを使用することができる。このような育苗養液は、市販の培養液を指定濃度に希釈することでも得られる。なお、この標準養液のカリウム濃度は、１１０〜３１５ｐｐｍとすることが望ましく、１１０〜２２０ｐｐｍとすることが更に望ましい。
【００４１】
（２）標準養液栽培（Ｂ）
続いて、水耕栽培装置１で使用する培養液を、上述の育苗養液から、標準養液に変更した。
【００４２】
ここでは、この標準養液として、例えば、窒素１００ｐｐｍ、リン酸３０ｐｐｍ及びカリウム１５０ｐｐｍに、適当量のカルシウム及びマグネシウムと、微量のマンガン、鉄、ホウ素、亜鉛、銅等を加えたものを使用した。このような育苗養液は、市販の培養液を指定濃度に希釈することでも得られる。なお、この標準養液のカリウム濃度は、１１０〜３１５ｐｐｍとすることが望ましく、１１０〜２２０ｐｐｍとすることが更に望ましい。
【００４３】
この標準養液は、上記の四種類の水耕栽培方法（実施例１、２及び比較例１、２）で、共通である。但し、栽培期間は、実施例１、２では１０日間、比較例１、２では１４日間とした。
【００４４】
（３）低カリウム養液栽培（Ｃ）
次に、水耕栽培装置１で使用する培養液を、上述の標準養液から、低カリウム養液に変更した。
【００４５】
この実施の形態１では、低カリウム養液として、所定量のカリウム及びナトリウム（後述のように、実施例１、２及び比較例１、２で互いに異なる）と、窒素１００ｐｐｍ、リン酸３０ｐｐｍ、適当量のカルシウム及びマグネシウム、微量のマンガン、鉄、ホウ素、亜鉛、銅等とを含有するものを使用した。すなわち、この低カリウム養液は、カリウム及びナトリウムの含有量を除いて、上述の標準養液と同じでよい。
【００４６】
この低カリウム養液に含まれるカリウム及びナトリウムの濃度は、以下の通りである。
【００４７】
実施例１：カリウム７０ｐｐｍ、ナトリウム１９ｐｐｍ
実施例２：カリウム５１ｐｐｍ、ナトリウム１９ｐｐｍ
比較例１：カリウム０ｐｐｍ、ナトリウム１５０ｐｐｍ
比較例２：カリウム１５ｐｐｍ、ナトリウム１５０ｐｐｍ
なお、低カリウム養液にナトリウムを含有させるのは、ナトリウムには、カリウム欠乏症（根痛み等の原因になる）の発生を抑制する効果があるからである。但し、培養液のナトリウム含有量が多すぎると、栽培作物（ここではリーフレタス）のナトリウム濃度も増えてしまい、腎臓機能に問題がある患者にとって望ましくない場合がある。
【００４８】
ここでは、培養液にカリウムを含有させるための物質として、亜リン酸カリウムを使用した。亜リン酸カリウムを培養液に添加することで、作物（ここではリーフレタス）の根を活性化させて、成長の促進等を図れるからである。但し、亜リン酸カリウム以外のカリウム含有物質を併用しても良い。
【００４９】
また、ここでは、低カリウム養液のカリウム濃度を、カリウムイオンメータを用いて管理した。通常、水耕栽培では、培養液のカリウム濃度を、ＥＣ値（電気導電率）やＰＨ値（水素イオン指数）を測定することによって管理しているが、低カリウム濃度の培養液では、これらＥＣ値やＰＨ値でカリウム濃度を正確に測定できないからである。
【００５０】
加えて、ここでは、低カリウム養液のカリウム濃度を測定する際に、栽培槽１０内に貯留された低カリウム養液を使用する。通常、水耕栽培では、養液タンク２０内の培養液のカリウム濃度（上述のＥＣ値やＰＨ値）を測定するが、この方法では、栽培槽１０の内壁や配管２２，２３等にカリウムが吸着されて、実際の栽培に寄与しているカリウム濃度と養液タンク２０内の低カリウム養液のカリウム濃度とが一致しなくなるからである。
【００５１】
この低カリウム養液栽培Ｃの栽培期間は、以下の通りとする。
【００５２】
実施例１：１８〜２０日間
実施例２：１８〜２０日間
比較例１：１４日間
比較例２：１０〜１７日間
低カリウム栽培Ｃでは、栽培作物（ここではリーフレタス）が成長のためにカリウムを消費するのに対して、培養液から十分なカリウムが供給されないようにし、これにより、その栽培作物中のカリウム濃度を減少させる。
【００５３】
図３（ａ）〜（ｃ）は、この低カリウム養液栽培Ｃの期間中における、低カリウム養液及びリーフレタスのカリウム量変化を示している。
【００５４】
なお、この実施の形態１では、実施例１、実施例２及び比較例１では、この低カリウム養液栽培Ｃの期間中、低カリウム養液の交換は行わないことにした。一方、比較例２では、３日毎に、培養液の交換を行った。比較例２では、培養液のカリウム濃度を非常に低く設定したため、３日程度で交換しないと培養液中のカリウムが殆ど無い状態になってしまい、比較例１との差異が無くなるからである。
【００５５】
図３（ａ）は、低カリウム養液栽培Ｃを開始したときのカリウム濃度を示している。上述のように、低カリウム養液のカリウム濃度は、実施例１では７０ｐｐｍ、実施例２では５１ｐｐｍ、比較例１では０ｐｐｍ、比較例２では１５ｐｐｍである。
【００５６】
また、図３（ａ）から解るように、低カリウム養液栽培Ｃを開始したときの、リーフレタスのカリウム量は、実施例１、２及び比較例１、２で略同じである。育苗養液栽培Ａや標準養液栽培Ｂでは、実施例１、２及び比較例１、２の全種類において、同じ培養液を使用しているからである。
【００５７】
図３（ｂ）は、低カリウム養液栽培Ｃの期間のうち、ちょうど中間の日のカリウム量を示している。図３（ｂ）から解るように、実施例１、２共に、低カリウム養液のカリウム濃度が減少すると共に、リーフレタスのカリウム含有量も３２０ｍｇ／１００ｇ→２３０ｍｇ／１００ｇに減少した。また、比較例１、２でも、リーフレタスのカリウム含有量が大幅に減少した。
【００５８】
なお、上述したように、比較例１では、培養液にカリウムが含まれていないため、０ｐｐｍのままである。また、比較例２は、３日毎に培養液を交換しているため、培養液のカリウム濃度変化には意味が無い。
【００５９】
図３（ｃ）は、低カリウム養液栽培Ｃの終了時、すなわち収穫期のカリウム量を示している。図３（ｃ）から解るように、実施例１、２では、リーフレタスのカリウム含有量が１３３ｍｇ、１１７ｍｇと、非常に低くなった。ここで、日本食品標準成分表によれば、標準的なリーフレタスのカリウム含有量は、４９０ｍｇ／１００ｇである。従って、この実施の形態１では、リーフレタスのカリウム含有量を、３０％以下まで減らすことができた。
【００６０】
リーフレタスをサラダとして食する場合、通常の、一食当たりの使用量は、２０〜３０ｇ程度である。従って、この実施の形態１では、リーフレタスの一食分のカリウム摂取量を、４０ｍｇ程度とできる。従って、標準的なリーフレタスを使用する場合と比較して、カリウム摂取量を、１００ｍｇ以上減らせることになる。
【００６１】
一方、比較例１、２でも、カリウム含有量を大幅に減らすことができる。しかしながら、以下に説明するように、実施例１、２のリーフレタスは、平均重量や歩留まりの点で、比較例１、２に勝っていた。
【００６２】
図４（ａ）は、収穫後のリーフレタスの重量及び草丈を比較するための表である。図４（ａ）から解るように、実施例１、２は、重量では比較例１、２と同等以上であると共に、草丈では比較例１、２に勝っている。
【００６３】
図４（ｂ）は、収穫されたリーフレタスの生育障害発生率（ここでは縁ぐされ発生率を用いた）を比較するための表である。図４（ｂ）から解るように、実施例１、２は、比較例１、２よりも生育障害発生率が低く、従って、歩留まりが高くなる。
【００６４】
図４（ｃ）は、収穫されたリーフレタスの平均重量、カリウム含有量及び生育障害発生率（何れも上述）を比較するための表である。図４（ｃ）より、実施例１、２が、カリウム含有量を十分に低く抑えつつ、平均重量の向上や生育障害発生率の低減を実現していることが解る。
【００６５】
以上説明したように、実施例１、２に係る栽培方法によれば、標準養液を用いた標準養液栽培Ａの後に、初期のカリウム濃度が５１ｐｐｍ以上７０ｐｐｍ以下の低カリウム養液を導入した低カリウム養液栽培Ｃを行うので、カリウム含有量が十分に少なく且つ平均重量が大きいリーフレタスを、歩留まり良く栽培することができた。
【００６６】
特に、実施例１の栽培方法によれば、低カリウム養液のカリウム濃度を、低カリウム養液栽培期間Ｃの開始時から終了時までの全期間にわたって５１ｐｐｍ以上７０ｐｐｍ以下としたので、リーフレタスの平均重量や歩留まりを、非常に優れたものにできた。
【００６７】
また、カリウムとして亜リン酸カリウムのカリウム成分を用いたので、低カリウム養液栽培Ｃを行ったにも拘わらず、リーフレタスの根を活性化させて、成長の促進等を図ることができた。
【００６８】
更に、実施例１、２の栽培方法では、低カリウム養液の初期のカリウム濃度が５１ｐｐｍ以上７０ｐｐｍ以下としたので、この低カリウム養液のナトリウム濃度を１０ｐｐｍ以上１９ｐｐｍ以下のナトリウムとしても、カリウム欠乏症の発生を十分に抑えることができる。このため、カリウム含有量だけで無く、ナトリウム含有量も十分に少ないリーフレタスを提供することができる。
【００６９】
加えて、実施例１、２の栽培方法では、比較例１、２よりも、低カリウム養液のカリウム濃度を高めに設定する代わりに、低カリウム養液栽培Ｃの期間を長く設定した（実施例１、２が１８〜２０日間であるのに対して、比較例１は１４日間、比較例２は１０〜１７日間）。これにより、カリウム含有量が十分に少なく且つ平均重量が大きいリーフレタスを歩留まり良く栽培するという効果を、更に高めることができる。
【００７０】
また、実施例１、２の栽培方法では、低カリウム養液栽培Ｃの全期間にわたって、低カリウム養液を交換する必要が無いので、比較例２と比較して、栽培作業の負担が小さくて済む。
【符号の説明】
【００７１】
１０  栽培槽
１１  底板
１２  植え付け板
１３  リーフレタス
１４  照明器
２０  養液タンク
２１  ポンプ
２２，２３  配管
【図１】
2017042060.tif 000003
【図２】
2017042060.tif 000004
【図３】
2017042060.tif 000005
【図４】
2017042060.tif 000006